(57)【特許請求の範囲】
【請求項１】
複数の脚架台を適宜間隔をおいて立設し、脚架台間に栽培ベッド支持部材を架け渡して構成する高設栽培装置用架台であって、
脚架台は、地面に載置する接地基礎部材と、この接地基礎部材上に着脱可能に立設する支柱部材と、この支柱部材によって着脱可能に支持される栽培ベッド形成部材とを備え、
接地基礎部材上に２本の支柱部材をハの字状に立設する構成を備えた高設栽培装置用架台。
【請求項２】
接地基礎部材にアンカー打ち込み孔部を設け、当該アンカー打ち込み孔部内にアンカーを打ち込んで接地基礎部材を地面に固定する構成を備えた請求項１に記載の高設栽培装置用架台。
【請求項３】
接地基礎部材に長さ調整機構を設けてなる構成を備えた請求項１又は２に記載の高設栽培装置用架台。
【請求項４】
上記栽培ベッド形成部材のほかにサイド栽培ベッド形成部材を備えた高設栽培装置用架台であって、
サイド栽培ベッド形成部材は、本体の左右一側に支柱部材装着部と掛止部とを備え、当該掛止部を栽培ベッド形成部材に掛止すると共に当該支柱部材装着部を支柱部材の中間部に装着して着脱可能に取り付けてなる構成を備えた請求項１〜３の何れかに記載の高設栽培装置用架台。
【請求項５】
栽培ベッド形成部材又はサイド栽培ベッド形成部材、或いはこれら両方に、果実を支持する玉受支持部材を張設すると共に、その玉受支持部材の表面部にはシート係止部を設ける構成を備えた請求項１〜４の何れかに記載の高設栽培装置用架台。
【請求項６】
玉受支持部材の傾斜角を調整可能に構成してなる請求項５に記載の高設栽培装置用架台。
【請求項７】
玉受支持部材は、玉受部と、玉受部の基端部に設けられ回動可能に取付可能な取付把持部と、玉受部の中間部から適宜角度をもって長さ調整可能に突出してなる支持腕部と、を備えた構成である請求項５又は６に記載の高設栽培装置用架台。
【請求項８】
栽培ベッド形成部材又はサイド栽培ベッド形成部材、或いはこれら両方の底部に樋支持部を備えた請求項１〜７の何れかに記載の高設栽培装置用架台。
【請求項９】
接地基礎部材は、支柱部材の下端部を着脱可能に立設支持し得る支柱支持受部を備え、
栽培ベッド形成部材は、支柱部材の上端部を着脱可能に挿嵌し得る支柱装着部を備えたものである請求項１〜８の何れかに記載の高設栽培装置用架台。
【請求項１０】
接地基礎部材に沈降防止材装着部を設け、当該沈降防止材装着部に装着して地面に沿って沈降防止材を配設する構成を備えた請求項１〜９の何れかに記載の高設栽培装置用架台。
【発明の詳細な説明】
【０００１】
【発明の属する技術分野】
本発明は、トマト等の野菜、苺等の果物、花その他の植物を育成するための栽培ベッドを地上適宜高さに設置する高設栽培装置、中でも栽培ベッドを支持するための架台に関する。
【０００２】
【従来の技術】
近年、苺の栽培を中心にして高設栽培が盛んに行なわれるようになり、高設栽培用装置の規模も益々大型化しつつある。
【０００３】
その一方、高設栽培用の装置は、実開平６−７５１２８号などに開示されているように、栽培ベッドを支える脚部材の支柱を地中に埋め込み、各脚部材に固定して脚部材間にフィルム保持パイプを２列に架け渡し、これらフィルム保持パイプ間にプラスチックシートを断面Ｕ字状に掛け渡し、この断面Ｕ字状内に培養土を充填して栽培ベッドを形成する構成のものが一般的であった。
【０００４】
ところが、このような構成の高設栽培装置は、その設置作業、特に脚部材の支柱を一つ一つ地中に埋め込んで真っ直ぐに立設させる作業には多大の労力が必要であり、中でも石や岩石を多く含んだ耕地での設置作業はとくにたいへんであった。このため、特開平１２−８３４７８号などは、長手辺に適宜間隔をおいて支柱支持部を設けてなる接地枠と、複数の支柱と、前記支柱支持部と同間隔をおいて支柱連結部を設けてなるシート保持棒とを有し、接地枠の支柱支持部に支柱を着脱可能に立設し、支柱上端部と前記支柱連結部とを着脱可能に連結して支柱上にシート保持棒を配設してなるユニット形式の構成が提案している。
【０００５】
【発明が解決しようとする課題】
このようなユニット形式の高設栽培装置用架台であれば、確かに現場で簡単に組立てることができる。しかしながら、従来提案されていたユニット形式の高設栽培装置用架台は、接地枠の嵩及び重量が大きかったため、接地枠を接地場所まで運搬するのに多くの労力が必要であろ、少人数では設置が難しいという課題を抱えていた。
【０００６】
また、従来の高設栽培装置用架台においては、次のような課題も指摘されていた。
・脚部材が倒壊しないように長手方向及び短手方向に筋交いを付設する作業、特に各脚部材に針金や固定金具などで一々固定する作業は極めて煩雑で労力が必要であった。
・地面の柔らかさなどによって一部の脚部材が沈降するために装置全体が傾くことがあった。
・余分な潅水や栽培養液が地面に落下することによってビニルハウス内の湿度が過度に上昇し、うどんこ病などの病気を引き起こすおそれがあった。
・果実の自重によってランナー（茎）が折れて果肉が損傷することがあった。
【０００７】
そこで本発明の第１の目的は、運搬及び組立てが容易で、しかも安定した構造の高設栽培装置用架台を提供することにある。
第２の目的は、更に脚部材の沈降を防ぐことができる高設栽培装置用架台を提供することにある。
第３の目的は、更に余った潅水や栽培養液を好適に処理することができる高設栽培装置用架台を提供することにある。
第４の目的は、更にその自重によってランナー（茎）が折れないように果実を支持することができる高設栽培装置用架台を提供することにある。
【０００８】
【課題を解決するための手段】
かかる目的達成のため、本発明は、複数の脚架台を適宜間隔をおいて立設し、脚架台間に栽培ベッド支持部材を架け渡して構成する高設栽培装置用架台において、その脚架台を、地面に載置する接地基礎部材と、この接地基礎部材上に着脱可能に立設する支柱部材と、この支柱部材によって着脱可能に支持される栽培ベッド形成部材とを備えるように構成すると共に、前記接地基礎部材上に、２本の支柱部材をハの字状に立設するように構成することとした。
かかる構成を備えた高設栽培装置用架台は、接地基礎部材を地面に載置し、この接地基礎部材上に支柱部材を立設し、この支柱部材上に栽培ベッド形成部材を装着するようにして組立てることができるから、従来のように大きくて重い接地枠が無くて運搬し易いばかりか、各脚架台を独立して組立てることができ、たとえ大型の架台であっても少人数で容易に設置することができる。また、地面に載置する接地基礎部材によって脚架台の沈降を防ぐことができる。
さらに、接地基礎部材上に、２本の支柱部材をハの字状に立設することによって、接地基礎部材、支柱部材及び栽培ベッド形成部材で三角形若しくは台形を構成することができるから、各脚架台における骨組み強度を高めることができるほか、後述するように、中央の栽培ベッドの下側にサイド栽培ベッドを設ける場合において、サイド栽培ベッドの日照を確保できる点でも優れている。
【０００９】
上記の構成において、接地基礎部材は、支柱部材の下端部を着脱可能に立設支持し得る支柱支持受部を備え、栽培ベッド形成部材は、支柱部材の上端部を着脱可能に挿嵌し得る支柱装着部を備えるように構成することができる。このように構成すれば、溶接、針金による結着、その他特別な工具や固定具を用いないで容易に組立てることができる。
【００１０】
接地基礎部材は、アンカー打ち込み孔部を設け、当該アンカー打ち込み孔部内に倒壊防止用のアンカー（杭）を打ち込んで接地基礎部材を地面に固定する構成とすることができる。各脚架台を独立して固定することができるから、筋交いなどを付設しなくても強度を確保することができ容易に施工することができる。しかも、従来のように支柱部材を地面に打ち込んでいた場合に比べ、打ち込み自体容易であるし、打ち込む深さを調整する必要がない点でも施工上優れている。支柱に比べてアンカーは引き抜き易いから、一旦固定した後の脚架台の位置調整や解体も容易に行なうこともできる。
他方、接地基礎部材に沈降防止材装着部を設け、この沈降防止材装着部に装着して沈降防止材を地面に沿って配設することも可能である。このように構成すれば、各脚架台の沈降をより一層確実に防ぐことができる。
【００１２】
接地基礎部材に長さ調整機構を設け、接地基礎部材の長さを調整可能とし、両支柱支持受部の間隔を調整できる構成とすることもできる。
ハの字状に支柱部材を立設すると、支持部材の長さの変更に伴って、支柱部材下端部間の間隔も変更するが、かかる長さ調整機構を備えた接地基礎部材であれば、支柱部材としてのパイプ等を切断・加工せずとも支柱部材の下端部間の間隔に合うように接地基礎部材の長さを調整するだけでよいから、高設栽培装置用架台の全体高さを支柱部材の長さ変更によって適宜高さに容易に変更することができ、適宜好ましい高さの高設栽培装置用架台を容易かつ安価に提供することができる。また、高設栽培装置用架台の組立ても容易になる。
【００１３】
上記構成の高設栽培装置用架台においては、栽培ベッド形成部材（実施形態における中央栽培ベッド形成部材）のほかにサイド栽培ベッド形成部材を付設することが可能であって、このサイド栽培ベッド形成部材は、例えば、本体の左右一側に支柱部材装着部と掛止部とを設け、当該掛止部を栽培ベッド形成部材に掛止すると共に当該支柱部材装着部を支柱部材の中間部に装着して着脱可能に取り付けることができるように構成することができる。
【００１４】
栽培ベッド形成部材又はサイド栽培ベッド形成部材、或いはこれら両方に、果実を支持する玉受支持部材を張設すると共に、この玉受支持部材の表面部にシート係止部を設けるように構成することが可能である。
栽培ベッド形成部材（サイド栽培ベッド形成部材を含む）に玉受支持部材を張設することにより、玉受支持部材で果実を成長させることができるから、果実の重みでランナー（茎）が折れるのを防ぐことができる。その際、玉受支持部材の表面部にシート係止部を設けておけば、玉受シートの穴を係合させて当該シートのずれを抑えることができる。
【００１５】
上記の玉受支持部材は傾斜角調整可能に構成することもできる。傾斜角調整可能に構成すれば、日照角度や果実の成長度に合わせて玉受部の傾斜角度を調整することができるから果実の生育をより一層促進することができる。
この際、玉受支持部材を傾斜角調整可能に構成するには、例えば、玉受部と、玉受部の基端部に設けられ回動可能に取付可能な取付把持部と、玉受部の中間部から適宜角度をもって長さ調整可能に突出してなる支持腕部と、を備えるように玉受支持部材を構成することができる。かかる構成の玉受支持部材であれば、取付把持部を栽培ベッド支持部材に回動可能に取り付け、玉受支持部材の傾斜角度を調整し、その傾斜角度に合うように支持腕部の長さを調整し、そして支持腕部の先端部を栽培ベッドの横側すなわち玉受シートの外側に当接して固定するだけで玉受支持部材を当該支持腕部で固定支持することができるから、玉受部の傾斜角を容易に変更することができ、また構造的にも簡単なものとすることができる。
但し、玉受支持部材の表面部にシート係止部を設けないように構成することも可能であるし、また、玉受支持部材を組み付けない構成とすることも可能である。
【００１６】
栽培ベッド形成部材又はサイド栽培ベッド形成部材、或いはこれら両方の底部に樋支持部を設け、各栽培ベッドの底部に沿って樋を配設し得るように構成することも可能である。栽培ベッドの底部に沿って樋を配設し、余分な潅水（余剰水）や栽培養液をビニルハウスの室外に逃がすようにすればビニルハウス内の湿度上昇を抑制することができ、湿度上昇による病気の発生を防ぐことができると同時に、室内での作業負担を軽減することができる。
【００１７】
【発明の実施の形態】
以下、実施例に基づいて本発明の実施形態について説明する。
【００１８】
本実施例に係る高設栽培装置用架台１（以下「架台１」という。）は、図１に示すように、複数の脚架台２を適宜間隔をおいて互いに平行に立設し、脚架台２、２間に栽培ベッド支持部材３及び樋４を架け渡して組立てることができる。
【００１９】
脚架台２は、図１及び図２に示すように、地面に載置する接地基礎部材としてのベースバー５と、このベースバー５上に着脱可能に立設する２本の支柱部材６、６と、これら支柱部材６、６の上端部に着脱可能に装着される中央栽培ベッド形成部材７と、支柱部材６、６の中間部に着脱可能に装着されるサイド栽培ベッド形成部材８、９と、ベースバー５に着脱可能に装着される沈降防止材１０とを備えている。
【００２０】
ベースバー５は、アルミニウム等の金属又はプラスチック等から成形してなる成形体であって、図２に示すように、適宜長さと適宜幅とを有するバー本体１１を備え、このバー本体１１の長さ方向両端部付近には支柱部材６の下端部を着脱可能に立設支持し得る支柱支持受部１２、１２を備え、バー本体１１の底面部の長手方向両側部位に短手幅方向に軸を向けた沈降防止材装着孔部１３、１３を備え、バー本体１１の長さ方向両端部から中央に寄った部位に上下方向に貫通したアンカー打ち込み孔部１４、１４を備えている。
【００２１】
次に、ベースバー５の構成について更に詳しく説明する。
【００２２】
バー本体１１は、図１及び図２に示すように、本例では軽量化を図るべく複数の板材状部で表面及び骨組みを構成するように形成してあるが、このような構成に限定するものではなく、例えば中実体として形成することも可能である。
【００２３】
支柱支持受部１２は、本例の場合、支柱部材６の下端部を内向き傾斜状態に立設支持し得るように形成してあるが、支柱部材６を略垂直に立設支持するように形成することも可能である。そしてこの支柱支持受部１２は、例えば底部と筒状部とを備えた構成とすることも可能であるが、更に当該筒状部内に係合部を設けて支柱部材６と係合固定し得るように形成することも可能である。
【００２４】
沈降防止材装着孔部１３は、本例の場合、バー本体１１の底面部内に丸溝を設けて形成してあるが、地面に沿って沈降防止材１０を装着することができればこのような構成に限定するものではなく、例えば底面部付近に地面に沿って孔部を設けるようにしてもよく、その際の孔部の径は、沈降防止材１０が簡単に抜けないように沈降防止材１０と同径若しくは若干径大に設定するの好ましい。
また、沈降防止材装着孔部１３は、バー本体１１の長手方向に向かうように形成することも可能であるが、本例のようにバー本体１１の短手幅方向すなわちバー本体１１と交差する方向に形成すれば、沈降防止材１０の長さが短くて済むばかりか、沈降防止材１０によって脚架台２の安定性を更に高めることができる。
【００２５】
なお、このような沈降防止材装着孔部１３に装着する沈降防止材１０として、本例では適宜長さのアルミなどの金属製パイプ部材を用いているが、中実部材を用いることも可能であるし、また、角部材その他の形状の沈降防止材を用いることも可能である。さらには、プラスチック製のものを用いることも可能である。
【００２６】
アンカー打ち込み孔部１４は、略垂直に設けることも、若干斜めに設けることもできる。
このアンカー打ち込み孔部１４に打ち込むアンカー（杭）４０は、図２に示すように、アンカー打ち込み孔部１４内に打ち込み可能であれば、特に形状関係なく現在使用されているアンカー（杭）を用いることができる。また、アンカー（杭）の長さも適宜選択可能である。
なお、図３及び図１１に示すように、各支柱支持受部１２の下端部すなわち足元に下接地台座板部１２ａを設け、この接地台座板部１２ａ内、中でも好ましくは支柱支持受部１２の外側にアンカー打ち込み孔部１４を設けることもできる。支柱支持受部１２の外側にアンカー打ち込み孔部１４を配設することにより、アンカー（杭）４０をより一層打ち込み易くすることができる。
【００２７】
バー本体１１の中間部に、長手方向にスライドできる長さ調整機構１５を設けることも可能である。長さ調整機構１５は、例えば、図３に示すように、バー本体１１をその長さ中間部で２つのピースに分割し、各ピースに適宜長さの接合面部１５ａを設け、この接合面部１５ａに複数個の調整孔１５ｂ、１５ｂ・・を設けるようにして構成することができる。長さを調整して互いの接合面部１５ａ、１５ａを接合し、調整孔１５ｂ、１５ｂにボルト、ビス等を挿通して締めることにより２つのピースを連結固定することができる。
また、バー本体１１を２つのピースに分割することにより、架台１の組立てを容易にすることができる。すなわち、地面に固定したベースバー５に支柱部材６、６を立設し、その後に各支柱部材６の上端を中央栽培ベッド形成部材７の支柱装着部２０に挿入しようとすると、支柱部材６の長さ変更に伴ってその挿入が難しいことがある。しかし、バー本体１１が２つのピースに分割されていれば、次のように組立てることができる。各支柱部材６の上端を中央栽培ベッド形成部材７の支柱装着部２０に挿嵌するする一方、各支柱部材６の下端にバー本体１１の各ピースを装着し、その後、ベースバー５の長さを調整しながら各ピースを互いに連結し、ベースバー５を地面に固定することができ、支柱部材６の長さ如何にかかわらず架台１を容易に組立てることができる。
但し、長さ調整機構の構成をこの例に限定するものではない。
【００２８】
次に、支柱部材６は、アルミニウム等の金属又はプラスチックからなる一本の棒部材或いはパイプ部材から構成することも可能であるが、本例の場合には、図３に示すように、適宜長さの２本のパイプ部材（６Ａ、６Ｂ）の上下端部にそれぞれ係合構造を設けてこれらパイプ部材６Ａ、６Ｂを長さ方向に連結する構成のものを使用している。
なお、この支柱部材６において、パイプ部材６Ａ、６Ｂ間及びパイプ部材６Ａと支柱支持受部１２との間の係合構造は、例えば、他方に挿入して回動させれば係合するように形成することが可能である。
【００２９】
中央栽培ベッド形成部材７は、アルミニウム等の金属又はプラスチックなどから成形してなる成形体であって、図４に示すように、正面視略Ｈ状を呈する本体１６と、この本体１６の左右両側に組み付ける玉受支持部材１７、１７とを備えている。
【００３０】
本体１６は、Ｈ状の上側部を形成する凹部１８の内底部に適宜間隔をおいて栽培ベッド支持部材把持部１９Ａ、１９Ａを備えると共に凹部１８の左右両側の上方突出部の上端部にも栽培ベッド支持部材把持部１９Ｂ、１９Ｂを備え、Ｈ状の下側部を形成する両脚部の各脚部内には支柱部材６の上端部を着脱可能に挿嵌し得る支柱装着部２０、２０を備え、両脚部に挟まれた凹部１８底面には樋４を支持するＵ字状の樋支持部２１を備え、凹部１８の左右両側の上方突出部の外側部には上端部から適宜下方位置に下向き¬状の爪を先端に設けてなる係合部２２、２２を備え、前記両脚部の外側面には上向き¬状の掛止受部２３、２３を備えている。
【００３１】
ここで、栽培ベッド支持部材把持部１９（１９Ａ、１９Ｂ）は、弾性的に開閉可能な開口部の上縁部に肉厚部を備えた溝状に形成してあり、開口部から押し込むことによって栽培ベッド支持部材３をワンタッチで嵌着することができる。
支柱装着部２０は、本例の場合、支柱部材６の上端部を外向き傾斜状態に挿嵌し得るように斜めに形成してあるが、支柱部材６を略垂直に挿嵌し得るように形成することも可能である。この支柱装着部２０は、単に天井部と筒状部とを備えた構成とすることも可能であるが、当該筒状部内に係合部を設けて支柱部材６（パイプ部材６Ｂ）に設けた係合構造と互いに係合するように形成することも可能である。
【００３２】
他方、玉受支持部材１７は、図２、図４及び図７に示すように、湾曲膨出した上面２５ａと平坦な下面２５ｂとを備えた断面下弦月の如き玉受部２５を備え、この玉受部２５の基端部に栽培ベッド支持部材３に回動可能に取付できる取付把持部２６を備え、下面２５ｂの中間部から斜め下方基端部側に上向き¬状の爪を先端部に設けてなる係合部２７を備え、上面２５ａ内には適宜間隔をおいて複数のシート係止部２８を備えている。
この玉受支持部材１７は、本体１６の栽培ベッド支持部材把持部１９Ｂ内に装着された栽培ベッド支持部材３に取付把持部２６を嵌着すると共に係合部２７を係合部２２に係合することによって本体１６に斜め下方傾斜状に取り付けることができる。
玉受支持部材１７の構成について更に説明すると、玉受部２５の形状は任意に形成可能であるが、上面が湾曲膨出していれば本体１６に組み付けた際に果実を載せ易くかつ水切りがよい点で優れている。
【００３３】
取付把持部２６は、弾性的に開閉可能な開口部を下向きに設け、当該開口部の上縁部に肉厚部を設けて溝状に形成してあり、開口部から押し込むことによって栽培ベッド支持部材３にワンタッチで嵌着できるようにしてある。
係合部２７は、本体１６の係合部２２に対応して設けるものであり、玉受支持部材１７の支持脚としての役割りも果たしている。
シート係止部２８は、図７に示すように、¬状の突部として形成してあり、玉受シート４２に設けた孔４２ａをシート係止部２８に係合することにより玉受シート４２のずれを防ぐことができる。
なお、玉受支持部材１７は本体１６と一体成形することも可能である。
【００３４】
上記玉受支持部材１７は、任意に角度調整可能な構成とすることもできる。玉受支持部材１７を角度調整可能に構成するには、例えば、図８に示すように、玉受部２５の中間部から内側（栽培ベッド側）に所定の角度をもって（本例では玉受部２５の下面２５ｂに対して３０〜４５°をもって基端側に）長さ調整可能な支持腕部２９を突設させて構成することができる。
この際、支持腕部２９は、例えば図８に示すように、平面長板状で一端に係止突部２９ｄを設けた伸縮腕２９ａと、玉受部２５の下面２５ｂから延設し、先端（栽培ベッド長手方向）を開口し側面に適宜間隔をおいて前記係止突部２９ｄを係止可能な係止孔２９ｂを複数設けた支持腕本体２９ｃとを備え、支持腕本体２９ｃ内に伸縮腕２９ａをスライド可能に嵌合して構成することができる。
このような構成の玉受支持部材１７であれば、取付把持部２６を栽培ベッド支持部材３の適宜箇所に回動可能に嵌着し、玉受部２５の傾斜角度を決め、図９において破線で示すように、決めた傾斜角度に合うように支持腕部２９の長さを調整し、そして伸縮腕２９ａの先端部を栽培ベッドの横腹部すなわち玉受シート４２の外側に当接させることにより玉受支持部材１７を適宜角度傾斜させた状態に固定することができる。
但し、玉受支持部材の構造は、上記例に限定されるものではない。
【００３５】
次に、サイド栽培ベッド形成部材８（９）は、アルミニウム等の金属又はプラスチックなどから成形してなる成形体であって、図４に示すように、正面視略凹状を呈する本体３０と、この本体３０の左右一側に組み付ける玉受支持部材３１とを備えている。
【００３６】
本体３０は、凹部３２内の内底部に栽培ベッド支持部材把持部１９Ｃを備え、凹部３２の左右両側の上方突出部の上端部に栽培ベッド支持部材把持部１９Ｄ、１９Ｄを備え、凹部３２の外側部（支柱部材６から見た外側）に上方突出部の上端部から適宜下方位置に下向き¬状の爪を先端に設けてなる係合部２２を備え、凹部３２の底部下面には樋４を支持するＵ字状の樋支持部３３を備え、凹部３２の内側（支柱部材６側）には、支柱部材６の傾斜に沿って切断した切断面３４の上端部から板状部３５ａを延設し、この延設板状部３５ａ内に係合孔３５ｂを設けてなる掛止部３５を備え、前記切断面３４には、上下に適宜間隔をおいて設けてなる支柱装着部３６、３６を備えている。
【００３７】
この本体３０の構成において、栽培ベッド支持部材把持部１９Ｃ及び１９Ｄは、上記栽培ベッド支持部材把持部１９Ａ、１９Ｂと同様に形成してあり、また同様に形成することができる。
係合部２２は、上記本体１６の係合部２２と同様の構造である。
凹部３２の内側を支柱部材６の傾斜に沿って切断面３４としてあるのは、この切断面３４に沿って形成した支柱装着部３６、３６を支柱部材６に装着した際に凹部３２が傾かないように配設するためである。
掛止部３５は、本体１６の掛止受部２３に対応してこれに掛止可能に形成するものであり、掛止受部２３の位置及び形状に対応してその位置及び形状を形成するのが好ましい。
支柱装着部３６は、図５に示すように、弾性的に開閉可能な開口部を側方に備えた溝部を、切断面３４に沿って内側（支柱部材６側）に突設するように形成してあり、開口部から押し込むことによって支柱部材６にワンタッチで装着することができるように形成してあるが、筒状に形成して支柱部材６を挿通させるように形成することもできる。
【００３８】
他方、玉受支持部材３１は、上記の玉受支持部材１７、１８と同様の構成を備えており、また、図４に示すように、上記の玉受支持部材１７、１８と同様に本体３０の左右一側に組み付けることができる。
【００３９】
栽培ベッド支持部材３は、本例では長尺な金属製のパイプ部材を用いているが、プラスチック製であってもよいし、また、長さ方向に連結する構成のものでもよい。
樋４は、長尺なプラスチック製の樋、或いはプラスチックフィルム乃至シートからなる長尺な樋などを用いることができる。また、適宜長さの樋を長さ方向に連結して構成するものでもよい。
【００４０】
次に、架台１の組立て方法について説明する。
【００４１】
脚架台２の設置位置が決定したら、沈降防止材１０を装着したベースバー５を地面に載置し、アンカー打ち込み孔部１４にアンカー（杭）４０を打ち込んでベースバー５を地面に固定する。
次に、ベースバー５の支柱支持受部１２、１２にそれぞれパイプ部材６Ａの下端部を挿入して固定した後、各パイプ部材６Ａにパイプ部材６Ｂを連結して２本の支柱部材６をベースバー５上にハの字状に立設する。
これら各支柱部材６の上端部を中央栽培ベッド形成部材７の支柱装着部２０に挿嵌させて中央栽培ベッド形成部材７を支柱部材６、６上に装着する。
【００４２】
但し、バー本体１１に長さ調整機構１５を設けた場合には、上述のように、各支柱部材６の上端を中央栽培ベッド形成部材７の支柱装着部２０に挿嵌する一方、各支柱部材６の下端にバー本体１１の各ピースを装着し、その後、ベースバー５の長さを調整しながら各ピースを互いに連結し、ベースバー５を地面に固定するようにして組立てることができる。
【００４３】
上記の如くベースバー５を地面に固定し、支柱部材６、６を立設し、その上に中央栽培ベッド形成部材７を取付けた後、次いで、サイド栽培ベッド形成部材８（９）の掛止部３５を中央栽培ベッド形成部材７の掛止受部２３に掛止すると共に、支柱装着部３６を支柱部材６の中間部に嵌着させてサイド栽培ベッド形成部材８（９）を取り付ける。
【００４４】
このようにして複数の脚架台２を適宜間隔をおいて独立して立設したら、各脚架台２における栽培ベッド支持部材把持部１９Ａ、１９Ｂ、１９Ｃ或いは１９Ｄに栽培ベッド支持部材３を把持させるようにして脚架台２、２間に合計１０本の栽培ベッド支持部材３を架け渡す。
【００４５】
そして、各脚架台２の中央栽培ベッド形成部材７及びサイド栽培ベッド形成部材８、９のそれぞれにおいて、取付把持部２６を栽培ベッド支持部材３に嵌着させると共に係合部２７を係合部２２に係合することによって玉受支持部材１７（３１）を取り付け、更には樋支持部２１及び３３のそれぞれに樋４を装着すれば架台１を組立てることができる。
【００４６】
かかる構成の架台１は、複数の軽量部材を用いて組み立てるものであり、しかもその組立てには、溶接や針金などによる結着、その他特別な工具や固定具を用いる固定手段が必要ないから、運搬及び組立てを容易に行なうことができる。また、各脚架台２を順に独立して立設させながら施工することができるから、大規模なものであっても少人数で容易に施工することができる。
また、ベースバー５を地面に載置すると共に、更にアンカー４０の打ち込みによって当該ベースバー５を地面に固定して各脚架台２を立設するものであるから、従来のように支柱を一々地面に打ち込んでいた場合に比べて各脚架台２の立設を容易に行なうことができる。そればかりか、脚架台２を独立して立設し固定する構造であるから、筋交いなどを付設しなくても安定性を確保することができ施工も容易であるし、更には地面に打ち込んだアンカー（杭）４０を引き抜くことにより各脚架台３の設置位置を容易に直すこともできる。
また、ベースバー５を地面に載置し、その上で沈降防止材１０を地面に沿って配設するものであるから、各脚架台２の沈降を確実に防ぐことができ、従来のように沈降によって架台１全体が傾くようなこともがない。
また、ベースバー５上に支柱部材６、６をハの字状に立設し、ベースバー５、支柱部材６、６及び中央栽培ベッド形成部材７で略三角、正確には台形状を形成する構成であるから、各脚架台２の骨組み強度を高めることができる。更に中央の栽培ベッド（中央栽培ベッド）と、これの下方に配設する栽培ベッド（サイド栽培ベッド）とを垂直方向に重ならないように配設することができるから、サイド栽培ベッドの日照を確保することができる点でも優れている。
しかも本例の場合には、中央栽培ベッド形成部材７の掛止受部２３に掛止部３５を掛止し、かつ支柱装着部３６を支柱部材６の中間部に嵌着させるだけでサイド栽培ベッド形成部材８、９を取り付けることができる装着の容易さも魅力の一つである。
なお、樋４はその端部をハウスの室外に配設し、受けた水をハウス室外まで導くように構成するのが好ましい。これによってハウス室内の湿度が過度に高まることを防止し、うどんこ病などの生育植物の病気を防ぐことができる。
【００４７】
上記構成を備えた架台１は、例えば以下のように構成して高設栽培装置とすることができる。
【００４８】
図６に示すように、中央栽培ベッド形成部材７及びサイド栽培ベッド形成部材８、９のそれぞれにおいて、栽培ベッド支持部材３、３間に基材シート４１を断面Ｕ字状に架け渡して基材シート４１内に土壌を充填することにより、中央及び両サイドの栽培ベッドを形成する。そして、各玉受支持部材１７及び３１の上面に玉受シート４２を被着させることにより高設栽培用装置を構成することができる。
【００４９】
ここで、基材シート４１は、土壌を支持し得る強度と防水性とを備えているシートであればその素材等は任意でかまわないが、余剰水の水はけのための排水穴を設けておくのが好ましい。
【００５０】
玉受シート４２は、中央栽培ベッド及びサイド栽培ベッドでの採光を良くするために透明性の高いシート乃至フィルム素材、或いはシート面からの乱反射による果実への照射効率を高めるためにアルミシートなどの反射率の高いシート乃至フィルム素材からなるシートを使用するのが好ましく、更に、そのシート面内には複数の穴４２ａを設けておき、この穴４２ａをシート係止部２８に係止させるようにして玉受支持部材１７（３１）上に被着させるのが好ましい。
このようにして玉受シート４２を被着すれば、玉受シート４２のずれを防ぐことができるほか、シート面内に設けた複数の穴４２ａによって通気及び水はけを良くすることができ、例えばシート面の温度上昇による玉焼けを防止することもできる。
また、玉受シート４２として網目状シート（ネット）を用いることができる。網目状シートであれば、上記の如く複数の穴４２ａを設けなくてもシート係止部２８に係止させて取付けることができる。
【００５１】
なお、基材シート４１及び玉受シート４２は、図示はしないが、固定クリップを基材シート４１及び玉受シート４２の上から栽培ベッド支持部材３に嵌め込むことにより、これら基材シート４１及び玉受シート４２を栽培ベッド支持部材３に固定することができる。
樋支持２１及び３２は、図１０に示すように、フック状突起部２１Ａ、２１Ａ及び３１Ａ、３１Ａをそれぞれ対に形成し、各フック状突起部２１Ａ（３１Ａ）で樋耳部を掛止して樋４を吊り下げるように構成することもできる。また、樋支持２１及び３２は、水が流れ易いように樋４を一定方向に傾斜させて取付けることができるように構成することもできる。
【００５２】
屋外に設置する場合を想定すると、プラスチック形成部分、例えば中央栽培ベッド形成部材７やサイド栽培ベッド形成部材８、９などが紫外線によって劣化するおそれがある。そこで、図１１に示すように、少なくとも中央栽培ベッド形成部材７、サイド栽培ベッド形成部材８、９の外側を紫外線等を吸収できる耐候性シート４４で覆うことが好ましい。
耐候性シート４４は、例えば、図１１に示すように、中央栽培ベッド形成部材７の上方突出部の上端にある栽培ベッド支持部材３に耐候性シート４４の上端を巻付固定して下方に垂らし、その下端は、固定しないか、或いはサイド栽培ベッド形成部材８、９のそれぞれの上方突出部の内側上端にある栽培ベッド支持部材３に巻付固定するようにして取り付けることができる。また下方にある耐候性シート４４は、サイド栽培ベッド形成部材８、９のそれぞれの上方突出部の外側にある栽培ベッド支持部材３に巻付固定して下方に垂らし、その下端を固定しないか、或いはアンカーを地面に打ち込んで固定するようにして取り付けることができる。
なお、耐候性シート４４を栽培ベッド支持部材３に巻付固定する際には、例えば、図１２に示すように、断面略Ｃ形状で弾性的に開閉可能な開口部を備えワンタッチで嵌着可能な固定クリップ４５を用いて玉受シート４２と共に耐候性シート４４を栽培ベッド支持部材３に嵌着固定すればよい。
なお、耐候性シート４４には、排水及び空気が通過できるように細孔を設けておいてもよい。
【図面の簡単な説明】
【図１】  本発明の一実施例に係る架台（玉受シート付）の構成例を示した部分斜視図である。
【図２】  図１の架台を構成する脚架台の構成例を示した正面図である。
【図３】  接地基礎部材に長さ調整機構を設けた一例を示した斜視図である。
【図４】  図２に示した脚架台の上側部分の分解状態を示した正面図である。
【図５】  サイド栽培ベッド形成部材と支柱部材との装着構造を示した横断面図である。
【図６】  一実施例に係る高設栽培装置の脚架台における構成例を示した正面図である。
【図７】  （Ａ）は玉受支持部材の一例を示した上面図、（Ｂ）はその玉受支持部材への玉受シートの被着状態を示した部分断面図である。
【図８】  玉受支持部材を任意に角度調整可能にするため、玉受部の中間部から支持腕部を突設させる構成の一例を示した正面図である。
【図９】  図８の玉受支持部材の動作態様を示した正面拡大図である。
【図１０】  図２で示した脚架台における樋支持部の変形例を付設してなる脚架台の構成例を示した正面図である。
【図１１】  脚架台に耐候性シートを被覆させた状態の一例を示した正面図である。
【図１２】  耐候性シートの固定部分の構成例を拡大して示した断面図である。
【符号の説明】
１  高設栽培装置用架台
２  脚架台
３  栽培ベッド支持部材
４  樋
５  ベースバー
６  支柱部材
７  中央栽培ベッド形成部材
８、９サイド栽培ベッド形成部材
１０  沈降防止材
１１  バー本体
１２  支柱支持受部
１３  沈降防止材装着孔部
１４  アンカー打ち込み孔部
１５  長さ調整機構
１５ａ  調整孔
１６  本体
１７  玉受支持部材
１８  凹部
１９Ａ〜Ｄ  栽培ベッド支持部材把持部
２０  支柱装着部
２１  樋支持部
２２  係合部
２３  掛止受部
２５  玉受部
２６  取付把持部
２７  係合部
２８  シート係止部
２９  支持腕部
２９ａ  係止片
２９ｂ  係止孔
２９ｃ  支持腕本体
３０  本体
３１  玉受支持部材
３２  凹部
３２  樋支持部
３４  切断面
３５  掛止部
３６  支柱装着部
４０  アンカー
４１  基材シート
４２  玉受シート
４３  土壌
４４  耐候性シート
４５  シート把持部材
【図１】
0003795804.tif 000002
【図２】
0003795804.tif 000003
【図３】
0003795804.tif 000004
【図４】
0003795804.tif 000005
【図５】
0003795804.tif 000006
【図６】
0003795804.tif 000007
【図７】
0003795804.tif 000008
【図８】
0003795804.tif 000009
【図９】
0003795804.tif 000010
【図１０】
0003795804.tif 000011
【図１１】
0003795804.tif 000012
【図１２】
0003795804.tif 000013